(57)【要約】【課題】筐体を支持する支持軸とピンが経年により材質が脆化した場合、筐体の荷重を支持できずに破断することで、筐体が地上に落下して人が被災してしまう可能性があった。【解決手段】筐体２の側面に備えた端子台カバー２１の端子台カバー天面２５に固定する第一クリップ２６と、支持軸６により筐体２の側面と接続される取付部材７に固定する第二クリップ３７を用いて電源線２０を固定することで、支持軸６、角度固定ボルト３８が破断したとしても取付部材７が電源線２０で筐体２をぶら下げることで、筐体２が地上に落下することのない安全性の高い空気搬送装置を得られる。【選択図】図５
2019109002.tif 000002
【特許請求の範囲】
【請求項１】
外郭を形成する筐体と、
前記筐体を設置場所に取り付けるための取付部材と、
上流側から前記筐体内部に空気を取り込むための開口である空気吸込口と、
前記筐体内部に取り込んだ空気を下流側から吹き出すための開口である空気吹出口と、
前記空気吸込口から前記空気吹出口に空気を導く送風部と、
前記筐体の側面に前記送風部を駆動するための電源用端子台と、
前記電源用端子台に接続する電源線と、
前記電源線を引き出す開口を有し前記電源用端子台を覆う端子台カバーと、
前記端子台カバーに設けられ前記電源線を固定する第一クリップと、
前記取付部材に設けられ前記電源線を固定する第二クリップと、を備え、
前記電源線は、前記第一クリップと前記第二クリップのそれぞれに固定された空気搬送装置。
【請求項２】
前記取付部材は、
前記空気吸込口と前記空気吹出口とを接続する両側面に前記筐体を回転可能に軸支持する支持軸を備え、
前記取付部材が前記筐体の鉛直上方に設置される場合において、
前記第一クリップは、前記支持軸と略同じ高さもしくは下方に位置し、
前記第二クリップは、前記支持軸よりも上方に位置する請求項１に記載の空気搬送装置。
【請求項３】
前記筐体は、前記送風部が固定される筐体本体と、
前記筐体本体に着脱可能に取り付けられる筐体カバーと、を備え、
前記筐体カバーは、
前記筐体本体と前記筐体カバーとを固定するネジを緩めることにより前記両側面の何れか一方に摺動可能なだるま形状のネジ孔を備える請求項２記載の空気搬送装置。
【発明の詳細な説明】
【技術分野】
【０００１】
本発明は、建物の天井や壁に取り付けられ、建物内の空気を搬送する空気搬送装置に関するものである。
【背景技術】
【０００２】
従来、この種の空気搬送装置は駐車場、工場、体育館、倉庫等、大空間を有する建物の天井付近に設置されるものが知られている（例えば、特許文献１参照）。
【０００３】
以下、その空気搬送装置について図９を参照しながら説明する。
【０００４】
図９に示すように、空気搬送装置１０１は軸流型の送風ファン１０２を筐体１０３内に内臓する送風機本体１０４と、大空間を有する建物の天井付近に取付けられ送風機本体１０４を俯仰動（上下揺動）可能に軸支持する第１の取付ブラケット１０５、第２の取付ブラケット１０６と、を備えている。第１の取付ブラケット１０５、第２の取付ブラケット１０６は支持軸１０７に加えてピン１０８で係合している。第１の取付ブラケット１０５、第２の取付ブラケット１０６の上端部は、外方へ直角に屈曲され第１の取付フランジ１０９、第２の取付フランジ１１０となっている。第１の取付フランジ１０９、第２の取付フランジ１１０に建物の天井から垂下された吊ボルトが挿通されることで空気搬送装置１０１が天井に固定される。
【先行技術文献】
【特許文献】
【０００５】
【特許文献１】特許第４９９４４９６号公報
【発明の概要】
【発明が解決しようとする課題】
【０００６】
このような従来の空気搬送装置においては、送風機本体を有する筐体を第１の取付ブラケット、第２の取付ブラケットに支持軸とピンで固定する構成である。支持軸が経年により材質が脆化した場合、筐体の荷重を支持できずに支持軸は破断する可能性があるが、支持軸が破断した場合であっても、筐体は、ピンにより支持されることで地上への落下を防止する。
【０００７】
しかし、ピンで支持されていることを地上から確認することは困難であるため、支持軸が破断しているという異常に気づかずに、ピンで支持された状態のまま放置されてしまい、最後にはピンも劣化により破断してしまうことで、筐体が地上に落下して人が被災してしまうという課題を有していた。
【０００８】
そこで本発明は、上記従来の課題を解決するものであり、安全性の高い空気搬送装置を提供することを目的とする。
【課題を解決するための手段】
【０００９】
そして、この目的を達成するために、本発明に係る空気搬送装置は、外郭を形成する筐体と、前記筐体を設置場所に取り付けるための取付部材と、上流側から前記筐体内部に空気を取り込むための開口である空気吸込口と、前記筐体内部に取り込んだ空気を下流側から吹き出すための開口である空気吹出口と、前記空気吸込口から前記空気吹出口に空気を導く送風部と、前記筐体の側面に前記送風部を駆動するための電源用端子台と、前記電源用端子台に接続する電源線と、前記電源線を引き出す開口を有し前記電源用端子台を覆う端子台カバーと、前記端子台カバーに設けられ前記電源線を固定する第一クリップと、前記取付部材に設けられ前記電源線を固定する第二クリップと、を備え、前記電源線は、前記第一クリップと前記第二クリップのそれぞれに固定されたものであり、これにより所期の目的を達成するものである。
【発明の効果】
【００１０】
本発明に係る空気搬送装置によれば、筐体が地上に落下することのない安全性の高い空気搬送装置を提供可能である。
【図面の簡単な説明】
【００１１】
【図１】本発明の実施の形態に係る空気搬送装置の斜視図
【図２】空気搬送装置の空気吸込口側の斜視図
【図３】筐体の内部を示す横断面図
【図４】取付部材の斜視図
【図５】空気搬送装置の天井取付状態を示す側面図
【図６】筐体カバーを外した状態を示す空気搬送装置の斜視図
【図７】だるまネジ固定部の拡大正面図
【図８】筐体カバーをずらした状態のだるまネジ固定部の拡大正面図
【図９】従来の空気搬送装置の正面図
【発明を実施するための形態】
【００１２】
以下、本発明の実施の形態について図面を参照しながら説明する。なお、以下の実施の形態は、本発明を具体化した一例であって、本発明の技術的範囲を限定するものではない。また、全図面を通して、同一の部位については同一の符号を付して二度目以降の説明を省略している。
【００１３】
（実施の形態）
本実施の形態に係る空気搬送装置１は、大空間を有する建物内であって、設置場所として例えば天井もしくは壁の高所に取り付けられることで、大空間内の空気の流れを生成し、換気を促がすために利用される。
【００１４】
空気搬送装置１は、図１〜３に示すように、空気搬送装置１の外郭を形成する筐体２を備えている。
【００１５】
筐体２は、直方体状の形状を有している。筐体２の右側面３と左側面４の両側面５には、筐体２に溶接された支持軸６が備えられている。目的とする設置場所に固定された取付部材７を、接続ボルト固定ナット８で支持軸６に締め付けて固定することで、空気搬送装置１が設置場所に取り付けられる。この際、使用する接続ボルト固定ナット８を緩み止めナットとして、筐体２と取付部材７の接続をより強固にしてもよい。さらに、筐体２にワイヤーを取り付けて、筐体２と取付部材７とを接続してもよい。また、筐体２は、空気吸込口９、空気吹出口１０、内部に送風部１１を備えている。
【００１６】
空気吸込口９は、建物からの空気を吸い込む開口である。空気吸込口９は、空気吹出口１０が設けられた吹出面１２に対向する対向面１３と対向面１３に隣接する隣接面１４に備えられる。空気吸込口９は、筐体２の長手方向に二分されて両側面５側に２つ設けられている。空気吸込口９は、矩形形状を有し、開口面に長方形状の複数の格子１５を備えている。
【００１７】
空気吹出口１０は、空気吸込口９から筐体２の内部に吸い込まれた空気を筐体２の外部へ吹き出す開口である。空気吹出口１０は、筐体２の長手方向に二分されて２つ設けられている。空気吹出口１０は、空気吸込口９よりも流路面積を小さくし、空気吸込口９と比較して吹き出す空気の風速を増大する構造である。また、空気吹出口１０は、ルーバー１６を備えることで風向を偏向すると同時に空気吹出口１０の流路面積を小さくし、さらに吹き出す空気の風速を増大する構造にしてもよい。
【００１８】
空気吸込口９と空気吹出口１０とは、送風部１１を介して接続されている。
【００１９】
送風部１１は、図３に示すように、モーター１７と、モーター１７の両側に回転可能に接続されたクロスフローファン１８とで構成される。送風部１１は、両側面５のどちらか１面に備えた電源用端子台１９に接続する電源線２０を介して電源が供給されて、回転軸を回転させることでクロスフローファン１８を回転させる。
【００２０】
電源用端子台１９は、端子台カバー２１により覆われることで、外部からの水や埃が浸入して充電部がトラッキングを起こさないようにしている。
【００２１】
端子台カバー２１は、直方体形状を有している。端子台カバー２１は、隣接面１４と平行に設けられた端子台カバー第一側面２２に、端子台カバー２１の短辺２３の中心から左右対称に電源線２０を引き出す２つの電源線用開口２４を備える。両側面５に平行に設けられた端子台カバー天面２５には、電源線２０を固定する第一クリップ２６を備えている。さらに、端子台カバー２１は、電源線用開口２４にゴムブッシング２７を取り付けて端子台カバー２１の内部に水や埃が浸入するのを防止する構造にしてもよい。また、端子台カバー２１は、端子台カバー第一側面２２、端子台カバー第二側面２８に隣接しつつ筐体２と連接する第一端子台カバー取付面２９と第二端子台カバー取付面３０を備える。第一端子台カバー取付面２９と第二端子台カバー取付面３０のそれぞれに設けたネジ穴と筐体２の両側面５のどちらか１面に設けたネジ穴の位置を合わせてネジで取り付けることで端子台カバー２１を筐体２に固定することができる。
【００２２】
取付部材７は、図４に示すように設置場所と取付部材７を固定する取付ボルトを挿入する取付ボルト用の開口３１を設けた設置場所連接面３２と、筐体２と取付部材７を接続する支持軸用の穴３３とを備える。また、取付部材７は、支持軸用の穴３３を中心に同心円上に複数設けられた角度調整用の穴３４と、取付角度目印用の穴３５を設けた筐体連接面３６とを備える。筐体連接面３６には電源線２０を固定する第二クリップ３７を備える。
【００２３】
角度調整用の穴３４は、支持軸用の穴３３を中心として角度ピッチ十度で略半周に設けた、筐体２の取り付け角度を調整するためのねじ穴である。筐体２の両側面５に設けられた取付部材７を、角度調整用の穴３４の位置を合わせた状態で角度固定ボルト３８を取り付けることで、筐体２を任意の角度に調整することができる。つまり、筐体２の空気吹出口１０の角度を任意の角度に調整することができる。また、角度固定ボルト３８は支持軸６が破断した場合に筐体２を支持するピンの役割を担い、筐体２の地上への落下を防止する。
【００２４】
取付角度目印用の穴３５は、角度調整用の穴３４の内周側に角度ピッチ二十度で備えている。右側面３に接続された取付部材７の角度固定ボルト３８の取付位置と、左側面４に接続された取付部材７の角度固定ボルト３８の取付位置がずれて取り付けられると、支持軸６には筐体２の荷重に加えて、ねじれによる応力がかかり、正しく取付部材７に接続された場合よりも早く支持軸６は破断する。しかし、取付角度目印用の穴３５を設けることで、筐体２を取り付けるユーザーが容易に角度固定ボルト３８の取付位置のずれに気づくことができる。つまり、筐体２の誤取付の頻度を低減することができ、筐体２の地上への落下を低減することができる。
【００２５】
第二クリップ３７は、設置場所連接面３２近傍の筐体連接面３６にネジ固定される。図５に示すように、端子台カバー２１の電源線用開口２４から引き出された電源線２０は第一クリップ２６で端子台カバー２１に固定された後に、第二クリップ３７で取付部材７に固定される。すなわち、筐体２を支持する支持軸６や角度固定ボルト３８が破断した場合に筐体２を支持する角度固定ボルト３８に加えて、電源線２０で筐体２と取付部材７を繋ぐこととなる。
【００２６】
以上に示したように、空気搬送装置１は支持軸６と角度固定ボルト３８の両方が破断したとしても、第一クリップ２６と第二クリップ３７で電源線２０を保持することで筐体２が取付部材７にぶら下がり、筐体２が地上に落下することはない。また、異常時には、一つの取付部材７のみで筐体２を維持するため、傾きが生じることで空気搬送装置１の異常が地上からでも明確となる。
【００２７】
よって、早々に異常状態であることを認識することができ、異常状態への対応を速やかに取ることができる。すなわち、支持軸６、角度固定ボルト３８がともに破断しても地上に落下することがない、という効果を奏する。
【００２８】
また、取付部材７が筐体２の鉛直上方に設置される場合、すなわち天井に取り付けられる場合は図５に示すように第一クリップ２６は、支持軸６と略同じ高さもしくは下方に位置するように構成する。第一クリップ２６が支持軸６よりも上方に位置すると、電源線２０を無理に屈曲させながら第二クリップ３７に固定しなくてはならなくなり、電源線２０の断線及び施工性の悪化という問題が生じるが、第一クリップ２６が支持軸６と略同じ高さもしくは下方に位置すると、電源線２０をスムーズに引き回すことができ、施工性がよくなる。また、取付部材７が筐体２の鉛直上方に設置される場合、すなわち天井に取り付けられる場合において第二クリップ３７は、支持軸６よりも上方に位置するように構成する。第二クリップ３７が支持軸６よりも上方にある場合、第二クリップ３７が支持軸６よりも下方にある場合に比べて筐体２の落下距離が短くなり、電源線２０、第一クリップ２６、第二クリップ３７にかかる衝撃力が小さくなる。つまり、電源線２０の断線や第一クリップ２６、第二クリップ３７を固定するネジが衝撃力により外れて筐体２が落下するという可能性を低減することができる。
【００２９】
また、筐体２は、図６に示すように、送風部１１が固定される筐体本体３９と、筐体本体３９に着脱可能に取り付けられる筐体カバー４０とを備え、筐体カバー４０は、筐体本体３９と筐体カバー４０とを固定するネジを緩めることにより両側面５の何れか一方に摺動可能なだるま形状のネジ孔４１を備える。だるま形状のネジ孔４１は、図７、図８に示すように固定用のネジ孔を設けるとともに、取り外し用のネジ孔をネジの頭部径よりも大きく設ける。これにより、筐体２の内部、特に送風部１１のクロスフローファン１８に付着する塵埃等を除去するメンテナンス時に、筐体本体３９と筐体カバー４０とを固定するネジを外すことなく筐体カバー４０を取り外すことができる。つまり、ネジを外した際に意図せずに筐体カバー４０が筐体本体３９から取り外れてしまい、メンテナンスをする作業者が誤って筐体カバー４０を地上に落下させるという危険を回避することができる。
【００３０】
＜実施の形態の概要＞
本発明に係る空気搬送装置は、外郭を形成する筐体と、前記筐体を設置場所に取り付けるための取付部材と、上流側から前記筐体内部に空気を取り込むための開口である空気吸込口と、前記筐体内部に取り込んだ空気を下流側から吹き出すための開口である空気吹出口と、前記空気吸込口から前記空気吹出口に空気を導く送風部と、前記筐体の側面に前記送風部を駆動するための電源用端子台と、前記電源用端子台に接続する電源線と、前記電源線を引き出す開口を有し前記電源用端子台を覆う端子台カバーと、前記端子台カバーに設けられ前記電源線を固定する第一クリップと、前記取付部材に設けられ前記電源線を固定する第二クリップと、を備え、前記電源線は、前記第一クリップと前記第二クリップのそれぞれに固定された構成としている。
【００３１】
これにより、筐体と取付部材の接続部が破断しても第一クリップと第二クリップで電源線を保持することで、筐体が取付部材にぶら下がるため地上に落下しない。また、地上からでも異常が明確となる。よって、早々に異常状態の認識をすることができ、異常状態への対応を速やかに取ることが可能となるため、地上に落下することがなく安全性が高くなる。
【００３２】
また、前記取付部材は、前記空気吸込口と前記空気吹出口とを接続する両側面に前記筐体を回転可能に軸支持する支持軸を備え、前記取付部材が前記筐体の鉛直上方に設置される場合において、前記第一クリップは、前記支持軸と略同じ高さもしくは下方に位置し、前記第二クリップは、前記支持軸よりも上方に位置するという構成にしてもよい。
【００３３】
これにより、電源線の施工性を悪化させることなく、筐体の支持軸が破断した場合に電源線、第一クリップ、第二クリップにかかる衝撃力を小さくできる。つまり、電源線の断線や第一クリップ、第二クリップを固定するネジが衝撃力により外れて筐体が落下する可能性を低減することができる。
【００３４】
また、前記筐体は、前記送風部が固定される筐体本体と、前記筐体本体に着脱可能に取り付けられる筐体カバーと、を備え、前記筐体カバーは、前記筐体本体と前記筐体カバーとを固定するネジを緩めることにより前記両側面の何れか一方に摺動可能なだるま形状のネジ孔を備えるという構成にしてもよい。
【００３５】
これにより、筐体の内部に付着する塵埃等を除去するメンテナンス時に、筐体本体と筐体カバーとを固定するネジを外すことなく筐体カバーを取り外すことができる。つまり、ネジを外した際に意図せずに筐体カバーが筐体本体から取り外れてしまい、メンテナンスをする作業者が誤って筐体カバーを地上に落下させるという危険を回避することができる。
【産業上の利用可能性】
【００３６】
本発明にかかる内容は、建物の天井等の高所に取り付けられる空気搬送装置や送風機の落下防止機構として有用である。
【符号の説明】
【００３７】
１    空気搬送装置
２    筐体
３    右側面
４    左側面
５    両側面
６    支持軸
７    取付部材
８    接続ボルト固定ナット
９    空気吸込口
１０    空気吹出口
１１    送風部
１２    吹出面
１３    対向面
１４    隣接面
１５    格子
１６    ルーバー
１７    モーター
１８    クロスフローファン
１９    電源用端子台
２０    電源線
２１    端子台カバー
２２    端子台カバー第一側面
２３    短辺
２４    電源線用開口
２５    端子台カバー天面
２６    第一クリップ
２７    ゴムブッシング
２８    端子台カバー第二側面
２９    第一端子台カバー取付面
３０    第二端子台カバー取付面
３１    取付ボルト用の開口
３２    設置場所連接面
３３    支持軸用の穴
３４    角度調整用の穴
３５    取付角度目印用の穴
３６    筐体連接面
３７    第二クリップ
３８    角度固定ボルト
３９    筐体本体
４０    筐体カバー
４１    だるま形状のネジ孔
【図１】
2019109002.tif 000003
【図２】
2019109002.tif 000004
【図３】
2019109002.tif 000005
【図４】
2019109002.tif 000006
【図５】
2019109002.tif 000007
【図６】
2019109002.tif 000008
【図７】
2019109002.tif 000009
【図８】
2019109002.tif 000010
【図９】
2019109002.tif 000011